(57)【特許請求の範囲】
【請求項１】
複数の画像を表示する表示部と、
前記表示部上に設けられ、なされた操作に基づく検出信号を出力する検出部と、
前記検出部から出力された前記検出信号に基づいて前記なされた操作を判定する判定部と、
前記判定部により行われた画像の配置を変更する操作の判定に基づいて、前記複数の画像の少なくとも１つの画像の配置を変更して前記表示部に表示させる表示画像を生成する表示画像生成部と、
前記判定部により行われた画像を選択する第１の操作の判定に基づいて、前記表示部に表示させる、第１の画像に割り付けられた機能一覧画像を生成する機能一覧生成部と、
前記判定部により行われた前記機能一覧画像から選択された第１の機能画像を移動させる第２の操作の判定に基づいて、前記第１の機能画像が重ねられた第２の画像に、前記第１の機能画像に割り付けられた機能を関連付ける機能情報を生成する機能情報生成部と、
前記機能情報に基づいて、前記第１の画像になされた操作が前記第２の画像に割り付けられた機能に反映するように制御する制御部と、
を備えた表示入力装置。
【請求項２】
前記機能一覧生成部は、前記第２の画像に基づく機能一覧画像を生成し、
前記機能情報生成部は、選択された前記第１の画像の前記第１の機能画像に割り付けられた機能と、選択された前記第２の画像の前記第２の機能画像に割り付けられた機能と、を関連付けた機能情報を生成する請求項１に記載の表示入力装置。
【請求項３】
前記判定部は、前記第１の画像の前記第１の操作がなされた領域を判定し、
前記機能情報生成部は、さらに、前記第１の画像の前記領域を関連付ける前記機能情報を生成する請求項２に記載の表示入力装置。
【発明の詳細な説明】
【技術分野】
【０００１】
本発明は、表示入力装置に関する。
【背景技術】
【０００２】
従来の技術として、スイッチの配列を変更することができる車両用スイッチ装置が知られている（例えば、特許文献１参照。）。
【０００３】
この車両用スイッチ装置は、入力する電圧のパターンからスイッチ配列を認識するＣＰＵ（Central Processing Unit）と、ＣＰＵと接続され、電圧Ｖｃｃが入力されるスイッチ群と、一方端がＣＰＵと接続され、他方端がスイッチを介してグランドに接続された認識回路と、スイッチ群のスイッチと対応する複数の補機と、を備えている。ＣＰＵ、スイッチ群及び認識回路は、フレキシブル基板（ＦＰＣ）上に設けられている。
【０００４】
Ｖｃｃとして１Ｖが入力する場合、認識回路の配線に穴を開けて認識回路のスイッチとグランドとの接続を切断することで、ＣＰＵには、１Ｖ、０Ｖ、０Ｖのような電圧のパターンが入力される。ＣＰＵは、このパターンからスイッチの配列を認識し、スイッチ群と補機との接続関係を変更する。
【先行技術文献】
【特許文献】
【０００５】
【特許文献１】特開２００５−２８０５２１号公報
【発明の概要】
【発明が解決しようとする課題】
【０００６】
しかし、従来の車両用スイッチ装置は、スイッチ群と補機との接続関係を変更することはできるが、スイッチ群の配列を変更するものではない。近年、車両に搭載される電子機器を操作可能なスイッチが増える傾向にあるため、どのようなスイッチ配列が操作し易いのかは、実機に近いものを作成して実験せざるを得ず、手間とコストがかかることが問題となっている。
【０００７】
従って、本発明の目的は、スイッチ配列を容易に変更することができる表示入力装置を提供することにある。
【課題を解決するための手段】
【０００８】
本発明の一態様は、複数の画像を表示する表示部と、表示部上に設けられ、なされた操作に基づく検出信号を出力する検出部と、検出部から出力された検出信号に基づいてなされた操作を判定する判定部と、判定部により行われた画像の配置を変更する操作の判定に基づいて、複数の画像の少なくとも１つの画像の配置を変更して表示部に表示させる表示画像を生成する表示画像生成部と、判定部により行われた画像を選択する第１の操作の判定に基づいて、表示部に表示させる、第１の画像に割り付けられた機能一覧画像を生成する機能一覧生成部と、判定部により行われた機能一覧画像から選択された第１の機能画像を移動させる第２の操作の判定に基づいて、第１の機能画像が重ねられた第２の画像に、第１の機能画像に割り付けられた機能を関連付ける機能情報を生成する機能情報生成部と、機能情報に基づいて、第１の画像になされた操作が第２の画像に割り付けられた機能に反映するように制御する制御部と、を備えた表示入力装置を提供する。
【発明の効果】
【０００９】
本発明によれば、スイッチ配列を容易に変更することができる。
【図面の簡単な説明】
【００１０】
【図１】図１（ａ）は、実施の形態に係る表示入力装置が搭載された車両内の概略図であり、（ｂ）は、表示入力装置のブロック図である。
【図２Ａ】図２Ａ（ａ）〜図２Ａ（ｃ）は、本実施の形態に係る表示入力装置の動作を説明するための概略図である。
【図２Ｂ】図２Ｂ（ｄ）〜図２Ｂ（ｆ）は、本実施の形態に係る表示入力装置の動作を説明するための概略図である。
【図３Ａ】図３Ａ（ａ）〜図３Ａ（ｃ）は、本実施の形態に係る表示入力装置の動作を説明するための概略図である。
【図３Ｂ】図３Ｂ（ｄ）〜図３Ｂ（ｆ）は、本実施の形態に係る表示入力装置の動作を説明するための概略図である。
【発明を実施するための形態】
【００１１】
（実施の形態の要約）
実施の形態に係る表示入力装置は、複数の画像を表示する表示部と、表示部上に設けられ、なされた操作に基づく検出信号を出力する検出部と、検出部から出力された検出信号に基づいてなされた操作を判定する判定部と、判定部により行われた画像の配置を変更する操作の判定に基づいて、複数の画像の少なくとも１つの画像の配置を変更して表示部に表示させる表示画像を生成する表示画像生成部と、判定部により行われた画像を選択する第１の操作の判定に基づいて、表示部に表示させる、第１の画像に割り付けられた機能一覧画像を生成する機能一覧生成部と、判定部により行われた機能一覧画像から選択された第１の機能画像を移動させる第２の操作の判定に基づいて、第１の機能画像が重ねられた第２の画像に、第１の機能画像に割り付けられた機能を関連付ける機能情報を生成する機能情報生成部と、機能情報に基づいて、第１の画像になされた操作が第２の画像に割り付けられた機能に反映するように制御する制御部と、を備える。
【００１２】
[実施の形態]
（表示入力装置１の構成）
図１（ａ）は、実施の形態に係る表示入力装置が搭載された車両内の概略図であり、（ｂ）は、表示入力装置のブロック図である。なお、実施の形態に係る各図において、部品と部品との比率は、実際の比率とは異なる場合がある。
【００１３】
この表示入力装置１は、例えば、車両６に搭載されたオーディオ装置、空調装置及びナビゲーション装置等の電子機器の操作、及び文字等の入力を行うことができるものである。表示入力装置１は、例えば、図１（ａ）に示すように、運転席と助手席の間であり、垂直方向に設けられたセンターコンソール６０に配置されている。なお、表示入力装置１の配置は、これに限定されず、例えば、メータパネル６２等のサブモニタとして配置されても良い。
【００１４】
この表示入力装置１は、主に、複数の画像を表示する表示部１４と、表示部１４上に設けられ、なされた操作に基づく検出信号を出力する検出部としてのタッチセンサ部１２と、タッチセンサ部１２から出力された検出信号に基づいてなされた操作を判定する判定部２４と、判定部２４により行われた画像の配置を変更する操作の判定に基づいて、複数の画像の少なくとも１つの画像の配置を変更して表示部１４に表示させる表示画像を生成する表示画像生成部２６と、判定部２４により行われた画像を選択する第１の操作の判定に基づいて、表示部１４に表示させる、第１の画像に割り付けられた機能一覧画像を生成する機能一覧生成部２８と、判定部２４により行われた機能一覧画像から選択された第１の機能画像を移動させる第２の操作の判定に基づいて、第１の機能画像が重ねられた第２の画像に、第１の機能画像に割り付けられた機能を関連付ける機能情報３００を生成する機能情報生成部３０と、機能情報３００に基づいて、第１の画像になされた操作が第２の画像に割り付けられた機能に反映するように制御する制御部３２と、を備えて概略構成されている。
【００１５】
・タッチセンサ部１２の構成
タッチセンサ部１２は、例えば、操作者の体の一部（例えば、指）や専用のペンでカバーレンズ１２０の検出面１２１に触れた場合、触れた検出面１２１上の位置を検出するタッチセンサである。操作者は、例えば、検出面１２１に操作を行うことにより、接続された電子機器の操作及び入力を行うことが可能となる。タッチセンサ部１２としては、例えば、周知の抵抗膜方式、赤外線方式、ＳＡＷ方式、静電容量方式等のタッチパネルを用いることが可能である。
【００１６】
本実施の形態に係るタッチセンサ部１２は、例えば、検出面１２１に指が近づくことによる、第１の電極１２２及び第２の電極１２３と指との距離に反比例した電流の変化を検出信号として出力する静電容量方式のタッチセンサである。
【００１７】
このタッチセンサ部１２は、例えば、図１（ｂ）に示すように、カバーレンズ１２０と、第１の電極１２２及び第２の電極１２３と、を備えて概略構成されている。
【００１８】
カバーレンズ１２０は、例えば、ＰＥＴ（Polyethylene terephthalate）又はガラスを用いて、板状に形成される。
【００１９】
第１の電極１２２及び第２の電極１２３は、例えば、ＩＴＯ（スズドープ酸化インジウム：Indium Tin Oxide）を用いて、カバーレンズ１２０に形成される。
【００２０】
第１の電極１２２及び第２の電極１２３は、例えば、図１（ｂ）に示すように、紙面の縦方向及び横方向に沿って並んでいる。本実施の形態では、図１（ｂ）の紙面の横方向をｘ軸、縦方向をｙ軸とし、タッチセンサ部１２の左上を原点としている。
【００２１】
ｘ軸方向には、例えば、ｍ個の第２の電極１２３が等間隔で並んでいる。このｍは、例えば、正の整数である。この第２の電極１２３は、例えば、タッチ検出部１２５と接続され、タッチ検出部１２５は、クロック信号に応じて順番に第２の電極１２３に接続して静電容量を読み出す。
【００２２】
ｙ軸方向には、例えば、ｎ個の第１の電極１２２が等間隔で並んでいる。このｎは、例えば、正の整数である。この第１の電極１２２は、例えば、駆動部１２４と接続され、駆動部１２４は、クロック信号生成部３６が生成するクロック信号に応じて順番に電圧を供給する。この電圧は、例えば、図１（ｂ）に示すように、車両６の電源より供給、或いは、表示入力装置１の動作に必要な電圧に調整されて供給される。
【００２３】
ｙ軸に平行に並べられた第２の電極１２３は、例えば、ｘ軸に平行に並べられた第１の電極１２２よりも検出面１２１に近い層に形成されている。また、第１の電極１２２は、例えば、第２の電極１２３と電気的に絶縁されている。
【００２４】
ここで、ｘ軸の座標は、ｘに下付きの数字（１〜ｍ）を付して、左から右に向かってｘ１〜ｘｍと示すものとする。また、ｙ軸の座標は、ｙに下付きの数字（１〜ｎ）を付して、上から下に向かってｙ１〜ｙｎと示すものとする。
【００２５】
具体的には、駆動部１２４は、例えば、ｙ１の第１の電極１２２〜ｙｎの第１の電極１２２の順番で電圧を供給する。また、タッチ検出部１２５は、例えば、ｘ１の第２の電極１２３〜ｘｍの第２の電極１２３の順番に静電容量を読み出すように構成されている。
【００２６】
タッチ検出部１２５は、例えば、読み出した各第２の電極１２３の静電容量の値（静電容量値）に基づいて、座標値（ｘｍの静電容量値、ｙｎの静電容量値、ｔ）を生成し、検出信号としてセンサコントローラ３４に出力するように構成されている。なお、時間ｔは、例えば、クロック信号が出力された時刻を示している。
【００２７】
・表示部１４の構成
表示部１４は、例えば、ＴＦＴ（Thin Film Transistor）型等の周知の液晶ディスプレイである。この表示部１４は、例えば、マイクロコンピュータ２０の表示コントローラ２２に接続され、表示コントローラ２２から出力される表示信号に基づいて表示画面１４０に画像を表示させる。
【００２８】
・マイクロコンピュータ２０の構成
マイクロコンピュータ２０は、例えば、プログラムに従って、取得したデータに演算、加工等を行うＣＰＵ、半導体メモリであるＲＡＭ（Random Access Memory）及びＲＯＭ（Read Only Memory）等から構成される。このＲＯＭには、例えば、ＣＰＵが動作するためのプログラム等が格納されている。ＲＡＭは、例えば、一時的に演算結果等を格納する記憶領域として用いられる。
【００２９】
マイクロコンピュータ２０は、例えば、図１（ｂ）に示すように、表示コントローラ２２と、判定部２４と、表示画像生成部２６と、機能一覧生成部２８と、機能情報生成部３０と、制御部３２と、センサコントローラ３４と、クロック信号生成部３６と、を備えて概略構成されている。
【００３０】
表示コントローラ２２は、例えば、表示画像生成部２６から出力された表示画像情報２６０に基づいて表示信号を生成し、表示信号に基づいた画像を表示部１４に表示させるように構成されている。
【００３１】
判定部２４は、例えば、タッチセンサ部１２のタッチ検出部１２５から取得した検出信号に基づいた座標値から、指が接触、又は近づいた座標を算出する。この座標の算出方法は、例えば、加重平均を用いた方法等の周知の方法が用いられる。そして、判定部２４は、算出した少なくとも１つの座標の時間変化から、タッチ操作、タップ操作、スライド操作、ジェスチャ操作、長押操作、ドラッグアンドドロップ操作及びフリック操作等の操作を判定する。
【００３２】
タッチ操作とは、例えば、指で検出面１２１に接触する操作を示す。タップ操作は、タッチ操作よりも短い時間で検出面１２１に接触する操作、言い換えれば、検出面１２１を叩くような操作を示す。また、タップ操作は、予め定められた時間内に複数回繰り返すことで、回数に応じた異なる機能を実行させることができる。例えば、１回のタップ操作は、マウスで行うクリックに相当する。また、例えば、連続する２回のタップ操作（ダブルタップ操作）は、マウスで行うダブルクリックに相当する。
【００３３】
スライド操作とは、例えば、指を検出面１２１に接触させたまま移動させる操作を示す。
【００３４】
ジェスチャ操作とは、例えば、指の軌跡が予め定められた形状と相似であるとき、その形状に割り付けられた機能を実行させる操作を示す。ジェスチャ操作の判定は、例えば、パターンマッチングを用いた方法等の周知の方法が用いられる。
【００３５】
長押操作とは、表示画面１４０に表示される画像（例えばアイコン）に対応する検出面１２１上を、予め定められた時間よりも長く接触し続ける操作である。この長押操作の判定は、例えば、マイクロコンピュータ２０又はメモリ３８に記憶された操作時間に関するしきい値と、長押操作が継続する時間と、を比較することにより行われる。判定部２４は、例えば、操作がアイコン上になされ、かつ、操作が継続する時間がしきい値を超えるとき、長押操作がなされていると判定する。なお、以下では、タッチセンサ部１２を介したアイコンの操作を、特に断らない場合は、「タッチセンサ部１２を介した」等の記載を省略し、単に「アイコンになされたタッチ操作」等の記載を行う。表示入力装置１は、例えば、この長押操作等によって選択されたアイコンをアニメーション表示させたり、反転表示させたりしても良い。
【００３６】
長押操作は、一例として、アイコンの配置を変更する操作で用いる。この操作は、まず、配置を変更したいアイコンに長押操作を行い、続いて、検出面１２１に触れたまま、目的の位置までドラッグ操作を行い、続いて、ドロップ操作を行うことで行われる。このドラッグ操作とは、アイコンを選択したまま目的の位置までスライド操作を行うことであり、ドロップ操作とは、目的の位置でアイコンの選択を解除する操作（例えば、検出面１２１に対する接触を解除する操作）を行うことである。また、ドラッグアンドドロップ操作とは、このドラッグ操作及びドロップ操作を続けて行うことである。
【００３７】
フリック操作とは、検出面１２１を指ではじくような操作である。このフリック操作は、例えば、本のページをめくる動作を模しており、フリック操作の方向に応じて前後のページが表示される。
【００３８】
・表示画像生成部２６の構成
表示画像生成部２６は、例えば、判定部２４により行われた画像の配置を変更する操作の判定に基づいて、複数の画像の少なくとも１つの画像の配置を変更し、表示部１４に表示させる表示画像を生成するように構成されている。表示画像生成部２６は、例えば、表示部１４に表示させる表示画像の情報である表示画像情報２６０を生成して表示コントローラ２２に出力する。なお、表示画像情報２６０は、例えば、表示画面１４０の全域に表示される背景画像の情報を含む。この背景画像は、例えば、いくつかの操作を組み合わせて行うことにより変更可能である。
【００３９】
・機能一覧生成部２８の構成
機能一覧生成部２８は、例えば、判定部２４により行われた画像を選択する第１の操作の判定に基づいて、表示部１４に表示させる、第１の画像に割り付けられた機能一覧画像を生成するように構成されている。この画像を選択する第１の操作とは、例えば、長押操作である。操作者が複数の機能が割り付けられたアイコンに対して長押操作を行うとき、機能一覧生成部２８は、例えば、メモリ３８に格納された接続機器情報３８０に基づいて、当該アイコンに割り付けられた機能一覧の情報である機能一覧情報２８０を生成して表示コントローラ２２に出力する。表示コントローラ２２は、機能一覧情報２８０に基づいて表示信号を生成し、機能一覧を含む表示画像を表示部１４に表示させる。
【００４０】
ここで、機能一覧生成部２８の変形例として、機能一覧に含まれる機能は、どのアイコンにも共通する機能であっても良い。つまり、アイコンの配置を変更する際、表示入力装置１は、どのアイコンを長押しても、同じ機能一覧を表示させるように、構成されても良い。
【００４１】
・機能情報生成部３０の構成
機能情報生成部３０は、例えば、判定部２４により行われた機能一覧画像から選択された第１の機能画像を移動させる第２の操作の判定に基づいて、第１の機能画像が重ねられた第２の画像に、第１の機能画像に割り付けられた機能を関連付ける機能情報３００を生成するように構成されている。この第１の機能画像を移動させる第２の操作は、例えば、ドラッグアンドドロップ操作である。例えば、操作者が、選択した第１の画像に割り付けられた第１の機能画像を選択し、第２の画像に重ねることで、第２の画像に第１の機能画像に割り付けられた機能を割り付けることができる。
【００４２】
また、機能一覧生成部２８が、第２の画像に基づく機能一覧画像を生成し、機能情報生成部３０が、選択された第１の画像の第１の機能画像に割り付けられた機能と、選択された第２の画像の第２の機能画像に割り付けられた機能と、を関連付けた機能情報３００を生成するように構成されている。
【００４３】
また、判定部２４は、第１の画像の第１の操作がなされた領域を判定し、機能情報生成部３０は、さらに、第１の画像の領域を関連付ける機能情報３００を生成するように構成されている。
【００４４】
つまり、判定部２４は、例えば、第１の画像の第１の操作がなされた領域を判定し、この領域と、第２の画像の第２の機能画像に割り付けられた機能と、を関連付ける機能情報３００を生成する。例えば、機能情報生成部３０は、第１の領域に上方向の矢印画像が配置され、第２の領域に下方向の矢印画像が配置された画像において、第１の領域に値を上昇させる機能、第２の領域に値を下降させる機能、を関連付けた機能情報３００を生成することができる。
【００４５】
・制御部３２の構成
制御部３２は、例えば、機能情報３００に基づいて、第１の画像になされた操作が第２の画像に割り付けられた機能に反映するように制御するように構成されている。また、制御部３２は、例えば、マイクロコンピュータ２０の各部を制御する。
【００４６】
・センサコントローラ３４の構成
センサコントローラ３４は、例えば、タッチセンサ部１２を制御する。具体的には、供給する電圧の制御、供給時間の制御、静電容量の読み出しのタイミングの制御等を行うように構成されている。
【００４７】
・クロック信号生成部３６の構成
クロック信号生成部３６は、例えば、表示入力装置１の動作に必要なクロック信号を生成し、各部に供給している。
【００４８】
・メモリ３８の構成
メモリ３８は、例えば、半導体メモリである。このメモリ３８には、接続機器情報３８０が格納されている。この接続機器情報３８０は、表示入力装置１が接続される電子機器の情報である。この電子機器の情報とは、例えば、表示画面１４０に表示させる画像の情報、当該画像に割り付けられた機能の情報等である。なお、メモリ３８は、例えば、マイクロコンピュータ２０のＲＯＭ等のメモリを用いて構成されても良い。また、長押操作により表示させる機能一覧が、電子機器に依存せず共通である場合は、機能一覧に関する共通の情報が格納される。
【００４９】
・通信部４０の構成
通信部４０は、例えば、接続された電子機器と通信可能となるように構成されている。接続機器情報３８０は、例えば、この通信部４０を介してメモリ３８に格納される。この通信部４０は、例えば、有線又は無線により、電子機器と接続されている。
【００５０】
以下に、本実施の形態に係る表示入力装置１の動作について、各図を参照しながら詳細に説明する。
【００５１】
図２Ａ（ａ）〜図２Ａ（ｃ）、及び図２Ｂ（ｄ）〜図２Ｂ（ｆ）は、本実施の形態に係る表示入力装置の動作を説明するための概略図である。操作者が、アイコンを任意の位置に配置する動作について説明する。図２Ａ等に示す表示画像１４０ａは、タッチセンサ部１２を介して呈示される表示部１４に表示された画像を示している。
【００５２】
図２Ａ（ａ）に示すように、操作者がアイコンの配置を変更するための機能を起動させると、表示入力装置１は、一例として、アイコン１４１ａ〜アイコン１４１ｄからなるアイコン群１４１と、アイコン１４２ａ〜アイコン１４２ｄからなるアイコン群１４２と、を表示する。なお、アイコンの配置を変更するための機能を起動させる動作は、例えば、表示入力装置１が起動した後に表示される表示画像１４０ａに含まれるアイコンを選択決定することにより行われる。この選択決定とは、例えば、該当するアイコンにダブルタップ操作を行うことである。また、アイコン群１４１及びアイコン群１４２に含まれるアイコンは、例えば、操作対象となる電子機器を操作するスイッチである。また、アイコン群１４１及びアイコン群１４２は、一例として、割り付けられた機能は同じであるがデザインが異なるアイコンを含んでいる。
【００５３】
具体的には、アイコンの配置を変更するための機能が起動した後、表示画像生成部２６は、メモリ３８に格納される接続機器情報３８０を取得し、この接続機器情報３８０に基づいて表示画像情報２６０を生成する。この生成された表示画像情報２６０は、アイコン群１４１及びアイコン群１４２の情報を含み、表示コントローラ２２を介して表示部１４に出力され、表示画像１４０ａとして表示される。
【００５４】
次に、図２Ａ（ｂ）に示すように、操作者は、アイコン群１４１及びアイコン群１４２から配置を変更するアイコンを選択してドラッグアンドドロップ操作を行い、表示画面１４０の好みの位置に配置する。図２Ａ（ｂ）では、一例として、アイコン１４１ａ、アイコン１４１ｄ、アイコン１４２ｂ及びアイコン１４２ｃが好みの位置に配置された様子を示している。
【００５５】
具体的には、判定部２４は、タッチ検出部１２５から読み出した検出信号に基づいてなされた操作を判定する。判定部２４は、例えば、図２Ａ（ａ）に示すアイコン１４１ｄに対して長押操作がなされ、さらに、ドラッグ操作が行われたと判定すると、表示画像生成部２６は、指の移動に伴ってアイコン１４１ｄを移動させる表示画像情報２６０を生成し、表示コントローラ２２を介して表示部１４に出力する。
【００５６】
次に、図２Ａ（ｃ）に示すように、アイコン１４２ｃ（第１の画像）が複数の機能を備えている場合、操作者は、このアイコン１４２ｃに対して長押操作を行うと、アイコン１４２ｃの周囲に第１の機能一覧１４３が表示される。この第１の機能一覧１４３には、様々な機能が割り付けられた機能アイコン１４３ａ〜機能アイコン１４３ｑが含まれる。
【００５７】
具体的には、判定部２４は、アイコン１４２ｃに長押操作が行われたと判定すると、機能一覧生成部２８は、判定結果に基づいて、アイコン１４２ｃの機能一覧情報２８０を生成し、表示コントローラ２２を介して表示部１４に出力する。
【００５８】
次に、図２Ｂ（ｄ）に示すように、操作者は、例えば、第１の機能一覧１４３から目的の機能アイコン１４３ｂ（第１の機能画像）を、スライド操作及び長押操作により選択し、選択した機能アイコン１４３ｂにドラッグアンドドロップ操作を行って、機能を割り付けたいアイコン１４１ａ（第２の画像）上に重ねる。
【００５９】
具体的には、判定部２４は、検出信号に基づいてスライド操作及び長押操作を判定し、さらに、ドラッグアンドドロップ操作を判定する。
【００６０】
次に、図２Ｂ（ｅ）に示すように、アイコン１４１ａが複数の機能を備えている場合、アイコン１４１ａの周囲に第２の機能一覧１４４が表示される。この第２の機能一覧１４４には、様々な機能が割り付けられた機能アイコン１４４ａ〜機能アイコン１４４ｇが表示される。操作者は、スライド操作を行って目的の機能アイコン１４４ｅ（第２の機能画像）上で指を止め、選択されたことを示すアニメーションが表示された後に接触を解除する。この操作により、表示入力装置１は、アイコン１４２ｃに割り付けた機能と、アイコン１４１ａに割り付けた機能と、を関連付けることができる。
【００６１】
具体的には、判定部２４は、アイコン１４１ａに機能アイコン１４３ｂが重ねられたと判定すると、機能一覧生成部２８は、判定結果に基づいて、アイコン１４１ａの機能一覧情報２８０を生成し、表示コントローラ２２を介して表示部１４に出力する。表示部１４は、機能一覧情報２８０に基づいた第２の機能一覧１４４を表示する。続いて、判定部２４は、第２の機能一覧１４４の機能アイコン１４４ｅが選択されたと判定すると、機能情報生成部３０は、判定結果に基づいてアイコン１４２ｃに割り付けた機能（機能アイコン１４３ｂに割り付けられた機能）と、アイコン１４１ａに割り付けた機能（機能アイコン１４４ｅに割り付けられた機能）と、を関連付ける機能情報３００を生成し、メモリ３８に格納させる。
【００６２】
次に、図２Ｂ（ｆ）に示すように、操作者は、アイコンを配置させる動作を終了させると、表示入力装置１は、配置が変更されたアイコン１４１ａ、アイコン１４１ｄ、アイコン１４２ｂ及びアイコン１４２ｃを表示させる。
【００６３】
次に、操作者が、アイコン１４２ｃに対して機能アイコン１４３ｂに応じた操作を行うと、制御部３２は、機能情報３００に基づいて、アイコン１４１ａに割り付けた機能アイコン１４４ｅに割り付けられた機能を反映するように制御する操作情報を出力する。
【００６４】
続いて、以下では、空調装置のスイッチ配列を好みのスイッチ配列にする動作について説明する。
【００６５】
図３Ａ（ａ）〜図３Ａ（ｃ）、及び図３Ｂ（ｄ）〜図３Ｂ（ｆ）は、本実施の形態に係る表示入力装置の動作を説明するための概略図である。ここでは、温度を調整するアイコン１４５ｄの上部に、機能アイコンを割り付ける場合について説明する。
【００６６】
図３Ａ（ａ）に示すように、操作者がアイコンの配置を変更するための機能を起動させると、表示入力装置１は、一例として、パーツ群１４５を含むパーツリスト画面１４０ｂを表示する。このパーツ群１４５は、例えば、表示入力装置１が接続された電子機器の操作が可能となるアイコンを、そのデザインを変えて並べたものである。パーツ群１４５に含まれるアイコンが複数の画面に渡って存在する場合、操作者は、例えば、図３Ａ（ａ）に示すように、右又は左フリック操作により、画面を変更することができる。
【００６７】
次に、図３Ａ（ｂ）に示すように、操作者は、パーツ群１４５から所望のアイコンをドラッグアンドドロップ操作により、スイッチ配置画面１４０ｃに配置する。スイッチ配置画面１４０ｃは、例えば、パーツリスト画面１４０ｂの前又は後の画面であり、操作者は、フリック操作により画面を切り替える。なお、パーツリスト画面１４０ｂの最初の画面が表示されているとき、左フリック操作により、スイッチ配置画面１４０ｃに画面が切り替えられる。
【００６８】
ここで、図３Ａ（ｂ）に示すアイコン１４５ａは、例えば、温度調整された調整風がどの吹き出し口から送出されているのかを示すアイコンである。アイコン１４５ｂは、例えば、調整風の送出量を示すアイコンである。アイコン１４５ｃは、例えば、調整風の温度を示すアイコンである。アイコン１４５ｄは、例えば、調整風の温度の上げ下げを行うためのアイコンである。アイコン１４５ｅは、例えば、調整風の送出量の大小を制御するためのアイコンである。なお、この段階では、各アイコン同士の関連付けがなされていない。
【００６９】
次に、図３Ａ（ｃ）に示すように、操作者が、アイコン１４５ｄの上部領域１４６と、アイコン１４５ｃを関連付けるため、アイコン１４５ｄの上部領域１４６に対して長押操作を行うと、第１の機能一覧１４３が表示される。なお、上下左右は、図３Ａ（ｃ）の紙面に対しての方向となっている。なお、アイコン１４５ｄの下部領域１４７に機能を割り付けたい場合は、アイコン１４５ｄの下部領域１４７に対して長押操作を行う。
【００７０】
ここで、機能アイコン１４３ａは、一例として、検出面１２１をなぞりながら上方向に操作することで値を変更する機能が割り付けられている。
【００７１】
機能アイコン１４３ｂは、一例として、上方向のフリック操作を行うことで値を変更する機能が割り付けられている。
【００７２】
機能アイコン１４３ｃは、一例として、ワンタッチ下操作を行うことで値を変更する機能が割り付けられている。このワンタッチ下操作とは、例えば、検出面１２１に接触した瞬間に検出される操作である。この瞬間とは、例えば、クロック信号の間隔程度の時間である。
【００７３】
機能アイコン１４３ｄは、一例として、ワンタッチ上操作を行うことで値を変更する機能が割り付けられている。このワンタッチ上操作とは、例えば、検出面１２１から離れた瞬間に検出される操作である。
【００７４】
機能アイコン１４３ｅは、一例として、検出面１２１をなぞりながら右方向に操作することで値を変更する機能が割り付けられている。
【００７５】
機能アイコン１４３ｆは、一例として、右方向のフリック操作を行うことで値を変更する機能が割り付けられている。
【００７６】
機能アイコン１４３ｇは、一例として、ピンチアウト操作を行うことで値を変更する機能が割り付けられている。このピンチアウト操作とは、例えば、２つの指を閉じて検出面１２１に接触した後、開く操作を示している。
【００７７】
機能アイコン１４３ｈは、一例として、ピンチイン操作を行うことで値を変更する機能が割り付けられている。このピンチイン操作とは、例えば、２つの指を開いて検出面１２１に接触した後、閉じる操作を示している。
【００７８】
機能アイコン１４３ｉは、一例として、検出面１２１をなぞりながら下方向に操作することで値を変更する機能が割り付けられている。
【００７９】
機能アイコン１４３ｊは、一例として、下方向のフリック操作を行うことで値を変更する機能が割り付けられている。
【００８０】
機能アイコン１４３ｋは、一例として、時計回りに指で円を描くジェスチャ操作を行うことで値を変更する機能が割り付けられている。
【００８１】
機能アイコン１４３ｌは、一例として、反時計回りに指で円を描くジェスチャ操作を行うことで値を変更する機能が割り付けられている。
【００８２】
機能アイコン１４３ｍは、一例として、検出面１２１をなぞりながら左方向に操作することで値を変更する機能が割り付けられている。
【００８３】
機能アイコン１４３ｎは、一例として、左方向のフリック操作を行うことで値を変更する機能が割り付けられている。
【００８４】
機能アイコン１４３ｏは、一例として、タップ操作を行うことで値を変更する機能が割り付けられている。
【００８５】
機能アイコン１４３ｐは、一例として、長押操作を行うことで値を変更する機能が割り付けられている。
【００８６】
機能アイコン１４３ｑは、一例として、ダブルタップ操作を行うことで値を変更する機能が割り付けられている。
【００８７】
次に、図３Ｂ（ｄ）に示すように、操作者は、この第１の機能一覧１４３から目的の機能アイコン１４３ｃを、スライド操作及び長押操作により選択し、選択した機能アイコン１４３ｃにドラッグアンドドロップ操作を行って、アイコン１４５ｃ上に重ねる。
【００８８】
次に、図３Ｂ（ｅ）に示すように、機能アイコン１４３ｃをアイコン１４５ｃ上に重ねると、アイコン１４５ｃの周囲に第２の機能一覧１４４が表示される。この第２の機能一覧１４４には、様々な機能が割り付けられた機能アイコン１４４ａ〜機能アイコン１４４ｇが表示される。
【００８９】
ここで、機能アイコン１４４ａは、一例として、操作がなされることにより、関連付けられた機能がオン状態となる機能が割り付けられている。
【００９０】
機能アイコン１４４ｂは、一例として、操作がなされることにより、関連付けられた機能がオフ状態となる機能が割り付けられている。
【００９１】
機能アイコン１４４ｃは、一例として、操作がなされる度に、関連付けられた機能がオン状態とオフ状態が切り替わる機能が割り付けられている。
【００９２】
機能アイコン１４４ｄは、一例として、操作がなされることにより、関連付けられた機能に応じた値が上昇する機能が割り付けられている。
【００９３】
機能アイコン１４４ｅは、一例として、操作がなされることにより、関連付けられた機能に応じた値が下降する機能が割り付けられている。
【００９４】
機能アイコン１４４ｆは、一例として、操作がなされることにより、関連付けられた機能に応じた値が上昇し、最高値に達すると、最低値に戻って値を上昇させる機能が割り付けられている。
【００９５】
機能アイコン１４４ｇは、一例として、操作がなされることにより、関連付けられた機能に応じた値が下降し、最低値に達すると、最高値に戻って値を下降させる機能が割り付けられている。
【００９６】
操作者は、例えば、アイコン１４５ｄの上部領域１４６に対して機能アイコン１４３ｃに割り付けられた「ワンタッチ下操作」を行うと、アイコン１４５ｃに表示された数字が上昇するように機能の割り付けを行うため、スライド操作を行って目的の機能アイコン１４４ｄ上で指を止め、選択されたことを示すアニメーションが表示された後に接触を解除する。この操作により、表示入力装置１は、アイコン１４５ｄに割り付けた機能と、アイコン１４５ｃに割り付けた機能と、を関連付けることができる。
【００９７】
つまり、図３Ｂ（ｆ）に示すように、操作者が、アイコン１４５ｄの上部領域１４６に対して「ワンタッチ下操作」を行うと、制御部３２は、アイコン１４５ｃに表示された数字を上昇させると共に、調整風の温度を上昇させる操作情報を、通信部４０を介して出力させる。
【００９８】
一例として、操作者が、第１の機能一覧１４３から機能アイコン１４３ｐを選択し、第２の機能一覧１４４から機能アイコン１４４ｆを選択した場合、アイコン１４５ｄの上部領域１４６に対して長押操作が行われると、制御部３２は、アイコン１４５ｃに表示された数字を上昇させると共に、調整風の温度を上昇させる操作情報を、通信部４０を介して出力させる。
【００９９】
（実施の形態の効果）
本実施の形態に係る表示入力装置１は、表示部１４に表示されたアイコンを任意の位置に配置し、さらに、配置されたアイコンに機能を割り付けることができるので、スイッチ配列を容易に変更することができる。この表示入力装置１は、任意にスイッチ配列を変更することができるので、実機を作ることなく、スイッチ配列をシミュレーションして、操作し易いスイッチ配列を得ることができる。
【０１００】
また、表示入力装置１は、接続された複数の電子機器に応じて、スイッチ配列を変更することができるので、ジョイスティック、スイッチ素子等から構成される操作装置と比べて、小型化が可能であり、また、コストを削減することができる。さらに、表示入力装置１は、小型化できることから、設置場所を自由に設定することができる。
【０１０１】
なお、上記の実施の形態に係る表示入力装置１のいくつかの機能は、例えば、ＣＰＵにより実行されるプログラムとして提供されても良いし、ＡＳＩＣ（Application Specific Integrated Circuit）として提供されても良い。
【０１０２】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【０１０３】
１…表示入力装置、６…車両、１２…タッチセンサ部、１４…表示部、２０…マイクロコンピュータ、２２…表示コントローラ、２４…判定部、２６…表示画像生成部、２８…機能一覧生成部、３０…機能情報生成部、３２…制御部、３４…センサコントローラ、３６…クロック信号生成部、３８…メモリ、４０…通信部、６０…センターコンソール、６２…メータパネル、１２０…カバーレンズ、１２１…検出面、１２２…第１の電極、１２３…第２の電極、１２４…駆動部、１２５…タッチ検出部、１４０…表示画面、１４０ａ…表示画像、１４０ｂ…パーツリスト画面、１４０ｃ…スイッチ配置画面、１４１…アイコン群、１４１ａ〜１４１ｄ…アイコン、１４２…アイコン群、１４２ａ〜１４２ｄ…アイコン、１４３…第１の機能一覧、１４３ａ〜１４３ｑ…機能アイコン、１４４…第２の機能一覧、１４４ａ〜１４４ｇ…機能アイコン、１４５…パーツ群、１４５ａ〜１４５ｅ…アイコン、１４６…上部領域、１４７…下部領域、２６０…表示画像情報、２８０…機能一覧情報、３００…機能情報、３８０…接続機器情報
【図１】
0005558418.tif 000002
【図２Ａ】
0005558418.tif 000003
【図２Ｂ】
0005558418.tif 000004
【図３Ａ】
0005558418.tif 000005
【図３Ｂ】
0005558418.tif 000006